(57)【要約】【課題】受注に対する在庫の引当を、ある商品から同様な内容の別の商品に切り替える場合の業務効率を向上させること。【解決手段】本実施の形態に係る在庫管理装置は、自社商品コードと、未引当在庫数を含む在庫情報と、相手先商品コードと、同様な内容の商品についての複数の自社商品コードと、各自社商品コードについて最初に引当を行うか否かを指定するための第１フラグとを関連づけて登録するマスタと、少なくとも、相手先商品コードと受注数を含む受注データを入力する受注データ入力手段と、前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理手段と、を備えている。【選択図】図１
2020003942.tif 000002
【特許請求の範囲】
【請求項１】
制御部及び記憶部を備えた在庫管理装置であって、
前記記憶部には、
自社商品コードと、未引当在庫数を含む在庫情報と、
相手先商品コードと、同様な内容の商品についての複数の自社商品コードと、各自社商品コードについて最初に引当を行うか否かを指定するための第１フラグとを関連づけて登録するマスタと、
が格納されており、
前記制御部は、
少なくとも、相手先商品コードと受注数を含む受注データを入力する受注データ入力手段と、
前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理手段と、
を備えたことを特徴とする在庫管理装置。
【請求項２】
前記マスタは、さらに、各自社商品コードについて引当が終了したか否かを指定するための第２フラグを関連付けて登録し、
前記引当処理手段は、引当が終了した自社商品コードについて、前記第１フラグの最初の引当の指定を解除すると共に、前記第２フラグで引当の終了を指定し、次に、前記他の自社商品コードの第１フラグで最初の引当を指定することを特徴とする請求項１に記載の在庫管理装置。
【請求項３】
制御部及び記憶部を備えた情報処理装置に実行させるための在庫管理方法であって、
前記記憶部には、
自社商品コードと、未引当在庫数を含む在庫情報と、
相手先商品コードと、同様な内容の商品についての複数の自社商品コードと、各自社商品コードについて最初に引当を行うか否かを指定するための第１フラグとを関連づけて登録するマスタと、
が格納されており、
前記制御部で実行させる、
少なくとも、相手先商品コードと受注数を含む受注データを入力する受注データ入力ステップと、
前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理ステップと、
を含むことを特徴とする在庫管理方法。
【請求項４】
制御部及び記憶部を備えた情報処理装置に実行させるための在庫管理プログラムであって、
前記記憶部には、
自社商品コードと、未引当在庫数を含む在庫情報と、
相手先商品コードと、同様な内容の商品についての複数の自社商品コードと、各自社商品コードについて最初に引当を行うか否かを指定するための第１フラグとを関連づけて登録するマスタと、
が格納されており、
前記制御部において、
少なくとも、相手先商品コードと受注数を含む受注データを入力する受注データ入力ステップと、
前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理ステップと、
を実行させるための在庫管理プログラム。
【発明の詳細な説明】
【技術分野】
【０００１】
本発明は、在庫管理装置、在庫管理方法、及び在庫管理プログラムに関する。
【背景技術】
【０００２】
例えば、商品の在庫管理を行うシステムとして、特許文献１がある。特許文献１では、段落［００５３］〜［００５５］において、「図５（ｂ）に示す構成ファイル５１は、受注入力において在庫マスタファイル４３を検索した際に、在庫不足が発生している時に作成されるもので、受注番号、得意先コード、さらに組合せ商品の親商品、子商品に関する商品コード、商品名、未引当数、在庫不足数、代替商品の商品コード、商品名、引当数などが格納される。（５）データ入力と出力帳票図６は入力処理と出力帳票の関係について示した図であり、受注、在庫管理に必要なデータは受注伝票入力処理６０において受注入力伝票２０を用いて入力される。その後、組合せ商品受注処理６１において、組合せ商品の在庫があるかどうかが検索され、在庫がない場合は、在庫未引当リストが作成され、このリストに基づいて必要数の購入手続きが行われる。しかし、在庫がある場合は在庫商品の引当てまたは代替商品の引当処理６２が行われる。代替商品の引当処理を行った場合は、代替商品引当リストが出力される。なお、代替商品を引き当てる場合は、在庫がなく、緊急を要する場合である。」と記載されている。
【先行技術文献】
【特許文献】
【０００３】
【特許文献１】特開平５−２５０３９４号公報
【発明の概要】
【発明が解決しようとする課題】
【０００４】
しかしながら、上記特許文献１では、受注に対する在庫の引当を、ある商品から別の同様な内容の商品に切り替える場合の処理に関して、何等記載されていない。
【０００５】
本発明は、上記に鑑みてなされたものであり、受注に対する在庫の引当を、ある商品から同様な内容の別の商品に切り替える場合の業務効率を向上させることが可能な在庫管理装置、在庫管理方法、及び在庫管理プログラムを提供することを目的とする。
【課題を解決するための手段】
【０００６】
上述した課題を解決し、目的を達成するために、本発明は、制御部及び記憶部を備えた在庫管理装置であって、前記記憶部には、自社商品コードと、未引当在庫数を含む在庫情報と、相手先商品コードと、同様な内容の商品についての複数の自社商品コードと、各自社商品コードについて最初に引当を行うか否かを指定するための第１フラグとを関連づけて登録するマスタと、が格納されており、前記制御部は、少なくとも、相手先商品コードと受注数を含む受注データを入力する受注データ入力手段と、前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理手段と、を備えたことを特徴とする。
【０００７】
また、本実施の形態によれば、前記マスタは、さらに、各自社商品コードについて引当が終了したか否かを指定するための第２フラグを関連付けて登録し、前記引当処理手段は、引当が終了した自社商品コードについて、前記第１フラグの最初の引当の指定を解除すると共に、前記第２フラグで引当の終了を指定し、次に、前記他の自社商品コードの第１フラグで最初の引当を指定することにしてもよい。
【０００８】
また、上述した課題を解決し、目的を達成するために、本発明は、制御部及び記憶部を備えた情報処理装置に実行させるための在庫管理方法であって、前記記憶部には、自社商品コードと、未引当在庫数を含む在庫情報と、相手先商品コードと、同様な内容の商品についての複数の自社商品コードと、各自社商品コードについて最初に引当を行うか否かを指定するための第１フラグとを関連づけて登録するマスタと、が格納されており、前記制御部で実行させる、少なくとも、相手先商品コードと受注数を含む受注データを入力する受注データ入力ステップと、前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理ステップと、を含むことを特徴とする。
【０００９】
また、上述した課題を解決し、目的を達成するために、本発明は、制御部及び記憶部を備えた情報処理装置に実行させるための在庫管理プログラムであって、前記記憶部には、自社商品コードと、未引当在庫数を含む在庫情報と、相手先商品コードと、同様な内容の商品についての複数の自社商品コードと、各自社商品コードについて最初に引当を行うか否かを指定するための第１フラグとを関連づけて登録するマスタと、が格納されており、前記制御部において、少なくとも、相手先商品コードと受注数を含む受注データを入力する受注データ入力ステップと、前記受注データの相手先商品コードをキーとして、前記マスタを参照し、前記複数の自社商品コードのうち、先ず、前記第１フラグが最初の引当を指定している自社商品コードの商品について、前記在庫情報を参照して、未引当在庫を引き当て、次に、当該未引当在庫がなくなった場合に、他の自社商品コードの商品の未引当在庫を引き当てる引当処理ステップと、を実行させるための在庫管理プログラムであることを特徴とする。
【発明の効果】
【００１０】
本発明によれば、受注に対する在庫の引当を、ある商品から同様な内容の別の商品に切り替える場合の業務効率を向上させることが可能となるという効果を奏する。
【図面の簡単な説明】
【００１１】
【図１】図１は、本実施の形態に係る在庫管理装置の構成の一例を示すブロック図である。
【図２】図２は、商品マスタの構成例を示す図である。
【図３】図３は、切替品目マスタの構成例を示す図である。
【図４】図４は、本実施の形態に係る在庫管理装置の全体の処理の流れを説明するためのフローチャートである。
【図５】図５は、引当処理前の在庫情報のデータ例を示す図である。
【図６】図６は、引当処理前の受注データのデータ例を示す図である。
【図７】図７は、引当処理後の受注データのデータ例を示す図である。
【図８】図８は、引当処理後の切替品目マスタのデータ例を示す図である。
【図９】図９は、引当処理後の在庫情報のデータ例を示す図である。
【発明を実施するための形態】
【００１２】
本発明の実施形態を図面に基づいて詳細に説明する。なお、本発明は本実施の形態により限定されるものではない。  
【００１３】
［１．概要］
従来、例えば、商品Ａの受注に対する在庫の引当を、仕入値や品切れなどを理由に、商品Ａから同様な内容の商品Ｂに切り替える場合、商品Ａで受注を受けていても、商品Ａの在庫がなくなり次第、未引当の商品Ａの明細を確認し、手動で商品Ｂに入力し直す必要があった。このため、従来は商品を切り替える場合の業務効率がよくなかった。例えば、外食チェーンの場合は、取り扱う食材が多く、食材原価を下げるために、仕入値の安い仕入れ先の開拓を常に行っており、仕入値の安い商品に切り替える場合が多い。
【００１４】
そこで、本実施の形態では、発注に対して在庫を引き当てる場合に、ある商品から同様な内容の別の商品に切り替える場合に、受注データの商品コードを手動で変更する必要がなく、マスタの設定に従い自動で変更できるように構成して、商品を切り替える場合の業務効率を向上させている。
【００１５】
［２．構成］
図１を参照して、本実施の形態に係る在庫管理装置の一例について説明する。図１は、本実施の形態に係る在庫管理装置の構成の一例を示すブロック図である。図１において、在庫管理装置１００は、制御部１０２と通信インターフェース部１０４と記憶部１０６と入出力インターフェース部１０８と、を備えている。在庫管理装置１００が備えている各部は、任意の通信路を介して通信可能に接続されている。在庫管理装置１００は、市販のデスクトップ型パーソナルコンピュータである。なお、在庫管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００１６】
通信インターフェース部１０４は、ルータ等の通信装置および専用線等の有線または無線の通信回線を介して、在庫管理装置１００をネットワーク３００に通信可能に接続する。通信インターフェース部１０４は、他の装置と通信回線を介してデータを通信する機能を有する。ここで、ネットワーク３００は、在庫管理装置１００と、サーバ２００や例えば発注元等の端末装置４００とを相互に通信可能に接続する機能を有し、例えばインターネットやＬＡＮ（Ｌｏｃａｌ  Ａｒｅａ  Ｎｅｔｗｏｒｋ）等である。
【００１７】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、および、マイクの他、マウスと協働してポインティングデバイス機能を実現するモニタを用いることができる。なお、以下では、出力装置１１４をモニタ１１４として記載する場合がある。  
【００１８】
記憶部１０６には、各種のデータベース、テーブル、および、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および、光ディスク等を用いることができる。記憶部１０６は、商品マスタ１０６ａ、切替品目マスタ１０６ｂ、在庫情報ファイル１０６ｃ、及び受注データフィル１０６ｄ等を備えている。図２は、商品マスタ１０６ａの構成例を示す図である。図３は、切替品目マスタの構成例を示す図である。
【００１９】
商品マスタ１０６ａは、商品を管理するためのマスタであり、商品を相手先商品コードと自社商品コードの両方で管理し、対外的なやり取りでは相手先商品コードを使用し、社内的には自社商品コードを使用することで、相手先の発注業務に影響がでないようにしている。
【００２０】
商品マスタ１０６ａは、図２に示すように、自社商品コード、商品名、仕入先コード、仕入先名、仕入単価、相手先商品コード、及び相手先商品名のデータを関連づけて登録したテーブル等で構成することができる。
【００２１】
図２に示す商品マスタ１０６ａの例では、１行目に、自社商品コード「１０００」、商品名「小麦粉１０ｋｇ（□□製粉）」、仕入先コード「ＳＩ１０００」、仕入先名「□□製粉」、仕入単価「￥５，０００」、相手先商品コード「Ｓ１００」、相手先商品名「小麦粉１０ｋｇ」が登録されている。２行目に、自社商品コード「２０００」、商品名「牛肉５０ｋｇ（△△精肉店）」、仕入先コード「ＳＩ２０００」、仕入先名「△△精肉店」、仕入単価「￥７，０００」、相手先商品コード「Ｓ２００」、相手先商品名「牛肉５ｋｇ」が登録されている。３行目に、自社商品コード「１０１０」、商品名「小麦粉１０ｋｇ（××製粉）」、仕入先コード「ＳＩ１０１０」、仕入先名「××製粉」、仕入単価「￥４，５００」、相手先商品コード「Ｓ１００」、相手先商品名「小麦粉１０ｋｇ」が登録されている。４行目に、自社商品コード「２０１０」、商品名「牛肉５ｋｇ（〇〇精肉店）」、仕入先コード「ＳＩ２０１０」、仕入先名「〇〇精肉店」、仕入単価「￥６，０００」、相手先商品コード「Ｓ２００」、相手先商品名「牛肉５ｋｇ」が登録されている。
【００２２】
相手先商品コード「Ｓ１００」の相手先商品名「小麦粉１０ｋｇ」について、自社商品コード「１０００」の商品名「小麦粉１０ｋｇ」は、仕入単価「￥５，０００」であるのに対して、自社商品コード「１０１０」の商品名「小麦粉１０ｋｇ」は、仕入単価「￥４，５００」となっている。
【００２３】
また、相手先商品コード「Ｓ２００」の相手先商品名「牛肉５ｋｇ」について、自社商品コード「２０００」の商品名「牛肉５０ｋｇ」は、仕入単価「￥７，０００」であるのに対して、自社商品コード「２０１０」の商品名「牛肉５ｋｇ」は、仕入単価「￥６，０００」となっている。
【００２４】
切替品目マスタ１０６ｂは、引き当てる商品を同様な内容の別の商品に自動で切り替えるためのマスタである。例えば、商品の切替は、仕入値や品切れを理由に行われる。
【００２５】
切替品目マスタ１０６ｂは、図３に示すように、相手先商品コード、相手先商品名、自社商品コード、商品名、受注時計上ＦＬＧ（第１フラグ）、及び終了ＦＬＧ（第２フラグ）のデータを関連づけて登録したテーブル等で構成することができる。
【００２６】
受注時計上ＦＬＧは、商品の切替を行う場合に、同様な内容の複数の商品の自社商品コードのうち、最初に引当を行う商品の自社商品コードを指定するためのフラグである（例えば、最初に引当を行う場合：受注時計上ＦＬＧ＝「１」、最初に引当を行わない場合：受注時計上ＦＬＧ＝「０」）。
【００２７】
終了ＦＬＧは、引当が終了したことを指定するためのフラグである（例えば、引当が終了した場合：終了ＦＬＧ＝「１」、引当が終了していない場合：終了ＦＬＧ＝「０」）。
【００２８】
図３に示す切替品目マスタ１０６ｂの例では、１行目に、相手先商品コード「Ｓ１００」、相手先商品名「小麦粉１０ｋｇ」、商品コード「１０００」、商品名「小麦粉１０ｋｇ」、受注時計上ＦＬＧ「１」、及び終了フラグ「０」が登録されている。２行目に、相手先商品コード「Ｓ２００」、相手先商品名「牛肉５ｋｇ」、自社商品コード「２０００」、商品名「牛肉５ｋｇ」、受注時計上ＦＬＧ「１」、終了フラグ「０」が登録されている。３行目に、相手先商品コード「Ｓ１００」、相手先商品名「小麦粉１０ｋｇ」、自社商品コード「１０１０」、商品名「小麦粉１０ｋｇ」、受注時計上ＦＬＧ「１」、終了フラグ「０」が登録されている。４行目に、相手先商品コード「Ｓ２００」、相手先商品名「牛肉５ｋｇ」、自社商品コード「２０１０」、商品名「牛肉５ｋｇ」、受注時計上ＦＬＧ「０」、終了フラグ「０」が登録されている。
【００２９】
相手先商品コード「Ｓ１００」には、自社商品コード「１０００」と自社商品コード「１０１０」が対応しているが、受注時計上ＦＬＧ「１」となっている自社商品コード「１０００」の商品の引当を最初に行い、次に、自社商品コード「１０１０」の引当を行う。
【００３０】
また、相手先商品コード「Ｓ２００」には、自社商品コード「２０００」と自社商品コード「２０１０」が対応しているが、受注時計上ＦＬＧ「１」となっている自社商品コード「２０００」の商品の引当を最初に行い、次に、自社商品コード「２０００」の引当を行う。
【００３１】
在庫情報ファイル１０６ｃは、在庫情報を格納するためのファイルである。在庫情報は、商品コード、商品名、在庫数、及び未引当在庫数のデータを含んでいてもよい（図５参照）。
【００３２】
受注データファイル１０６ｄは、受注データを格納するためのファイルである。受注データは、計上日、得意先コード、相手先商品コード、相手先商品名、自社商品コード、切替前自社商品コード、受注数、単価、金額、消費税、及び引当数のデータを含んでいてもよい（図６参照）。
【００３３】
図１に戻り、制御部１０２は、在庫管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、引当処理を実行し、機能概念的に、受注データ入力部１０２ａと、引当処理部１０２ｂと、マスタメンテ部１０２ｃと備えている。
【００３４】
受注データ入力部１０２ａは、例えば、モニタ１１４に表示される不図示の入力画面上でのオペレータの操作に応じて、少なくとも相手先商品コードと受注数を含む受注データを入力して、受注データファイル１０６ｄに格納する。
【００３５】
引当処理部１０２ｂは、在庫情報ファイル１０６ｃを参照して、受注データに対して在庫の引当処理を行う。具体的には、引当処理部１０２ｂは、受注データの相手先商品コードをキーとして、切替品目マスタ１０６ｂを参照し、複数の自社商品コードのうち、先ず、受注時計上ＦＬＧ（第１フラグ）が最初の引当を指定している（受注時計上ＦＬＧ＝１）自社商品コードの商品について、在庫情報ファイル１０６ｃの在庫情報を参照して、未引当在庫を引き当て、次に、当該未引当在庫がなくなった場合に、他の自社商品コードの商品の未引当在庫を引き当てる。
【００３６】
また、引当処理部１０２ｂは、引当が終了した自社商品コードについて、受注時計上ＦＬＧ（第１フラグ）の最初の引当の指定を解除する（受注時計上ＦＬＧ＝「０」）と共に、終了フラグ（第２フラグ）で引当の終了を指定し（終了フラグ＝「１」）、次に、他の自社商品コードの受注時計上ＦＬＧ（第１フラグ）で最初の引当を指定（受注時計上ＦＬＧ＝「１」）することにしてもよい。
【００３７】
また、引当処理部１０２ｂは、引当処理を行う場合に、在庫情報や受注データを更新することにしてもよい。
【００３８】
マスタメンテ部１０２ｆは、モニタ１１２に表示される不図示のマスタメンテ画面上での管理者等の操作に応じて、商品マスタ１０６ａ、切替品目マスタ１０６ｂ、及び在庫情報に対するデータの入力・追加・変更等の編集を行うためのものである。管理者等は、在庫情報の状況等に応じて、切替品目マスタ１０６ｂのデータを迅速に更新する。
【００３９】
［３．具体例］
本実施の形態に係る在庫管理装置１００の処理の具体例について、図１〜図９を参照して説明する。図４は、本実施の形態に係る在庫管理装置１００の全体の処理の流れを説明するためのフローチャートである。
【００４０】
図４を参照して、本実施の形態に係る在庫管理装置１００の全体の処理の流れを説明する。図４において、まず、受注データ入力部１０２ａは、例えば、モニタ１１４に表示される不図示の入力画面上でのオペレータの操作に応じて、少なくとも相手先商品コードと受注数を含む受注データを入力して、受注データファイル１０６ｄに格納する（ステップＳ１）。
【００４１】
引当処理部１０２ｂは、在庫情報ファイル１０６ｃに格納される在庫情報を参照して、受注データに対して在庫の引当処理（ステップＳ２〜Ｓ５）を行う。
【００４２】
具体的には、引当処理部１０２ｂは、受注データファイル１０６ｄに格納されている、対象の受注データの相手先商品コードをキーとして、切替品目マスタ１０６ｂを参照する（ステップＳ２）。対応する複数の自社商品コードのうち、先ず、受注時計上ＦＬＧ＝「１」の自社商品コードの商品について、在庫情報を参照して、未引当在庫を引き当てる（ステップＳ３）。この場合、受注データに対して、未引当在庫を使いきる組み合わせを選択する。
【００４３】
引当処理部１０２ｂは、未引当在庫が終了すると、受注時計上ＦＬＧ＝「０」に変更し、終了ＦＬＧ＝「１」する（ステップＳ４）。
【００４４】
次に、引当処理部１０２ｂは、対応する複数の自社商品コードのうち、他の自社商品コードの受注時計上ＦＬＧ＝「１」に変更し、当該他の自社商品コードの商品について、在庫情報を参照して、未引当在庫を引き当てる（ステップＳ５）。
【００４５】
つぎに、上記図２、上記図３、及び図５〜図９を参照して、本実施の形態に係る在庫管理装置１００の処理の具体的なデータ例について説明する。図５は、引当処理前の在庫情報のデータ例を示している。図６は、引当処理前の受注データのデータ例を示している。図７は、引当処理後の受注データのデータ例を示している。図８は、引当処理後の切替品目マスタ１０６ｂのデータ例を示している。図９は、引当処理後の在庫情報のデータ例を示している。
【００４６】
図５に示す在庫情報の例では、１行目が、商品コード「１０００」、商品名「小麦粉１０ｋｇ（□□製粉）、在庫数「１００」、未引当在庫数「１５」、２行目が、商品コード「２０００」、商品名「牛肉５ｋｇ（△△精肉店）、在庫数「５０」、未引当在庫数「１０」、３行目が、商品コード「１０１０」、商品名「小麦粉１０ｋｇ（××製粉）、在庫数「１００」、未引当在庫数「１００」、４行目が、商品コード「２０１０」、商品名「牛肉５ｋｇ（〇〇精肉店）、在庫数「５０」、未引当在庫数「５０」となっている。
【００４７】
図６に示す受注データの例では、１行目が、計上日「２０１７／４／１」、得意先コード「Ｔ１００」、得意先「〇〇物産」、相手先商品コード「Ｓ１００」、相手先商品名「小麦粉１０ｋｇ」、自社商品コード「１０００」、受注数「１０」、単価「￥１０，０００」、金額「￥１００，０００」、消費税「￥８，０００」、及び引当数「０」となっている。２行目が、計上日「２０１７／４／１」、得意先コード「Ｔ１００」、得意先「〇〇物産」、相手先商品コード「Ｓ２００」、相手先商品名「牛肉５ｋｇ」、自社商品コード「２０００」、受注数「１０」、単価「￥２０，０００」、金額「￥２００，０００」、消費税「￥１６，０００」、及び引当数「０」となっている。３行目が、計上日「２０１７／４／１」、得意先コード「Ｔ１０１」、得意先「△△店」、相手先商品コード「Ｓ１００」、相手先商品名「小麦粉１０ｋｇ」、自社商品コード「１０００」、受注数「３」、単価「￥１０，０００」、金額「￥３０，０００」、消費税「￥２，４００」、及び引当数「０」となっている。
【００４８】
４行目が、計上日「２０１７／４／１」、得意先コード「Ｔ１０１」、得意先「△△店」、相手先商品コード「Ｓ２００」、相手先商品名「牛肉５ｋｇ」、自社商品コード「２０００」、受注数「１」、単価「￥２０，０００」、金額「￥２０，０００」、消費税「￥１，６００」、及び引当数「０」となっている。５行目が、計上日「２０１７／４／１」、得意先コード「Ｔ１０２」、得意先「〇〇製パン」、相手先商品コード「Ｓ１００」、相手先商品名「小麦粉１０ｋｇ」、自社商品コード「１０００」、受注数「５」、単価「￥１０，０００」、金額「￥５０，０００」、消費税「￥４，０００」、及び引当数「０」となっている。
【００４９】
図６に示す受注データに対して引当処理を行う。まず、１行目の受注データの相手先商品コード「Ｓ１００」をキーとして、図３に示す切替品目マスタ１０６ｂを参照する。対応する自社商品コード「１０００」、「１０１０」のうち、受注時計上ＦＬＧ＝「１」の自社商品コード「１０００」の商品について、図５に示す在庫情報を参照して、未引当在庫を引き当てる。未引当在庫数「１５」であるので、これを使いきる組み合わせを選択し、例えば、１行目と５行目の受注データの注文数が「１０」、「５」であるので、これらに引き当てる。未引当在庫が終了したので、自社商品コード「１０００」の受注時計上ＦＬＧ＝「０」に変更し、終了ＦＬＧ＝「１」に設定する。次に、自社商品コード「１０１０」の受注時計上ＦＬＧ＝「１」に変更し、自社商品コード「１０１０」の商品について、図５に示す在庫情報を参照して、未引当在庫を引き当てる。３行目の受注データの注文数「３」であるので、未引当在庫「１００」のうち「３」個を引き当てる。
【００５０】
また、２行目の受注データの相手先商品コード「Ｓ２００」をキーとして、図３に示す切替品目マスタ１０６ｂを参照する。対応する自社商品コード「２０００」、「２０１０」のうち、受注時計上ＦＬＧ＝「１」の自社商品コード「２０００」の商品について、図５に示す在庫情報を参照して、未引当在庫を引き当てる。未引当在庫数「１０」であるので、これを使いきる組み合わせを選択し、例えば、２行目の受注データの注文数が「１０」であるので、これに引き当てる。未引当在庫が終了すると、自社商品コード「２０００」の受注時計上ＦＬＧ＝「０」に変更し、終了ＦＬＧ＝「１」に設定する。次に、自社商品コード「２０１０」の受注時計上ＦＬＧ＝「１」に変更し、自社商品コード「２０１０」の商品について、図５に示す在庫情報を参照して、未引当在庫を引き当てる。４行目の受注データの注文数「１」であるので、未引当在庫「５０」のうち「１」個を引き当てる。
【００５１】
図８は、以上の処理により、切替品目マスタ１０６ｂの受注時計上ＦＬＧと終了ＦＬＧを更新した場合を示している。
【００５２】
引当処理後の受注データは図７に示すように更新される。図７に示すように、「引当数」が１行目から順に「１０」、「１０」、「３」、「１」、「５」にそれぞれ更新される。また、「切替前自社商品コード」が４行目と５行目について、「１０００」、「２０００」に更新される。
【００５３】
また、引当処理後の在庫情報は図９に示すように更新される。図９に示すように、自社商品コード「１０００」、「２０００」、「１０１０」、「２０１０」の「未引当在庫数」が、「０」、「０」、「９７」、「４９」に更新される。
【００５４】
以上説明したように、本実施の形態によれば、自社商品コードと未引当在庫数を含む在庫情報と、相手先商品コードと、同様な内容の商品についての複数の自社商品コードと、各自社商品コードについて最初に引当を行うか否かを指定するための受注時計上ＦＬＧとを関連づけて登録する切替品目マスタ１０６ｂと、少なくとも、相手先商品コードと受注数を含む受注データを入力する受注データ入力部１０２ａと、受注データの相手先商品コードをキーとして、切替品目マスタ１０６ｂを参照し、複数の自社商品コードのうち、先ず、受注時計上フラグが最初の引当を指定している自社商品コードの商品について、在庫情報を参照して、未引当在庫を引き当て、次に、当該未引当在庫がなくなった場合に、他の自社商品コードの商品の未引当在庫を引き当てる引当処理部１０２ｂと、を備えているので、受注データの商品コードを手動で変更する必要がなくなり、切替品目マスタ１０６ｂの設定に従って自動で変更することができ、受注に対する在庫の引当を、ある商品から同様な内容の別の商品に切り替える場合の業務効率を向上させることが可能となる。
【００５５】
また、本実施の形態によれば、切替品目マスタ１０６ｂは、さらに、各自社商品コードについて引当が終了したか否かを指定するための終了ＦＬＧを関連付けて登録し、引当処理部１０２ｂは、引当が終了した自社商品コードについて、受注時計上ＦＬＧの最初の引当の指定を解除すると共に、終了ＦＬＧで引当の終了を指定し、次に、他の自社商品コードの受注時計上ＦＬＧで最初の引当を指定することとしたので、次に引き当てる商品を指定することが可能となる。
【００５６】
［４．他の実施形態］
本発明は、上述した実施形態以外にも、特許請求の範囲に記載した技術的思想の範囲内において種々の異なる実施形態にて実施されてよいものである。  
【００５７】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００５８】
また、本明細書中や図面中で示した処理手順、制御手順、具体的名称、各処理の登録データや検索条件等のパラメータを含む情報、画面例、データベース構成については、特記する場合を除いて任意に変更することができる。  
【００５９】
また、在庫管理装置１００に関して、図示の各構成要素は機能概念的なものであり、必ずしも物理的に図示の如く構成されていることを要しない。  
【００６０】
例えば、在庫管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて在庫管理装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。  
【００６１】
また、このコンピュータプログラムは、在庫管理装置１００に対して任意のネットワークを介して接続されたアプリケーションプログラムサーバに記憶されていてもよく、必要に応じてその全部または一部をダウンロードすることも可能である。  
【００６２】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００６３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００６４】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００６５】
また、在庫管理装置１００は、既知のパーソナルコンピュータまたはワークステーション等の情報処理装置として構成してもよく、また、任意の周辺装置が接続された当該情報処理装置として構成してもよい。また、在庫管理装置１００は、当該情報処理装置に本実施形態で説明した処理を実現させるソフトウェア（プログラムまたはデータ等を含む）を実装することにより実現してもよい。  
【００６６】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。  
【符号の説明】
【００６７】
１００  在庫管理装置
１０２  制御部
１０２ａ  受注データ入力部
１０２ｂ  引当処理部
１０２ｃ  マスタメンテ部
１０４  通信インターフェース部
１０６  記憶部
１０６ａ  商品マスタ
１０６ｂ  切替品目マスタ
１０６ｃ  在庫情報ファイル
１０６ｄ  受注データファイル
１０８  入出力インターフェース部
１１２  入力装置
１１４  出力装置
２００  サーバ
３００  ネットワーク
４００  端末装置
【図１】
2020003942.tif 000003
【図２】
2020003942.tif 000004
【図３】
2020003942.tif 000005
【図４】
2020003942.tif 000006
【図５】
2020003942.tif 000007
【図６】
2020003942.tif 000008
【図７】
2020003942.tif 000009
【図８】
2020003942.tif 000010
【図９】
2020003942.tif 000011